(57)【要約】      （修正有）【課題】毛髪のキューティクル、コルテックス、メデュラ等のダメージ状態の程度を示す毛髪フィギアを顧客に提示して、顧客が希望する毛髪状態になる適正な毛髪ケアに関するアドバイスと適切な毛髪処理を可能とする毛髪フィギアセットを提供する。【解決手段】毛髪のキューティクル及びコルテックス、メデュラのダメージ状態の程度を複数にランク付けしそのランク毎の毛髪フィギアを台座に配置するとともに、台座にダメージ状態の程度を表示してなる。【選択図】図１
0003161971.tif 000002
【実用新案登録請求の範囲】
【請求項１】
毛髪の少なくともキューティクル及びコルテックス、多くともキューティクル及びコルテックス及びメデュラのダメージ状態の程度を複数にランク付けしそのランク毎の毛髪フィギアを配置するとともに各毛髪フィギアの配置部に当該ダメージ状態の程度を表示してなる毛髪フィギアセット。
【考案の詳細な説明】
【技術分野】
【０００１】  本考案は、毛髪の少なくともキューティクル及びコルテックス、多くともキューティクル及びコルテックス及びメデュラのダメージ状態の程度を診断して、この毛髪診断結果を正確にリアルにお客様に知らせるために用いる毛髪フィギアセットに関するものである。
【背景技術】
【０００２】  美容室や散髪屋さんには顧客から、一般に美髪のために、流行や嗜好に合わせた毛髪状態の要望及びヘアケアに対する多様な要望がある。
この顧客の要望に対して、多面的に柔軟に対応し実現させるには、毛髪の健康診断と毛髪の美髪の程度を示す評価を客観的かつ的確迅速に行い、その結果から個別に、適正な毛髪のカット方法やパーマ方法、染色方法、手入れ方法および推奨する洗髪商品、スタイリング商品、毛染め商品等の毛髪処理手段を具体的に選択する等の毛髪ケアアドバイスをする必要がある。
毛髪の健康診断は、その評価の種類は、毛髪の状態を表わす評価、見た目の美しさを表わす評価、感触を表わす評価、頭皮の状態を表わす評価などがあり、「くすみ度」「つや度」「ダメージ度」「クレンジング度」などの言葉によって表現される。これらの評価表現は、その他「髪年齢」「健康度」「透明感」「彩度」「色の深み」等が揚げられる。【０００３】  而して、通常、毛髪は７０〜８０％は蛋白質からなり、その構造的特徴は、エピキューティクル、Ａ層、エキソキューティクル、エンドキューティクル、インナーレイヤー、細胞膜複合体β層、細胞膜複合体γ層、細胞膜複合体δ層、プロトフィブリル、ミクロフィブリル、マトリックス、マクロフィブリル、マクロフィブリル間充物質、メデュラ、及びメラニンからなるが、一般に図２のモデルに示すように、キューティクル（毛表皮）、コルテックス（毛皮質）、メデュラ（毛髄質）の３区分名で代表される。【０００４】  髪の表面にあるキューティクルは、うろこ状の細胞が層を成す硬い組織であり、健康な髪では、うろこ状の細胞は６〜８層で形成し髪の手触りやつや、柔らかさや太さなどを左右する部分である。
コルテックスは、キューティクルの内側にある比較的柔らかい繊維状組織であり、繊維構造のフィブリルタンパク質とそれを取り囲む球状のマトリックスタンパク質より構成され、髪の８０％以上を占め、髪の毛の色や質を決定する重要な部分であり、水分量や髪の弾力などを決める組織があり、パーマやヘアカラーの影響を受けやすい部分である。
メデュラは、髪の毛の芯の役割を果たしている部分であり、毛根に近い部分は液体で満たされており、角化に伴い脱水・収縮して籠がいくつも重なったような形をし、シスチン結合をほとんど含まず、イオン性のアミノ酸（グルタミン酸）と金属を多く含む、非ケラチンタンパク質である。【０００５】  ところで、これらの３区分名のダメージについては、次に記載の内容が周知になっている。
キューティクルのダメージは、うろこ状の細胞の剥離状態が進行して、毛髪上ではツヤの低下や手触り感の悪化、弾力の低下などを引き起こしている。
コルテックスのダメージは、繊維構造を取り巻くマトリックスタンパク質が流出して、収縮脆弱化するとともに内部の柔軟性が変化し、毛髪のしなやかさに大きな影響を及ぼし、ブラッシングなどにより、枝毛・切れ毛などのさらに大きなヘアダメージにつながる。
メデュラの機能は定かでないが収縮状態が目安とされている。【０００６】  毛髪の健康診断は、見た目の美しさを表わす評価、感触を表わす評価、頭皮の状態を表わす評価などは、個人差が発生するがこれをより客観的に評価するには、毛髪の構造的状態を表わす評価が適切なものといえる。
しかし、例えば、毛髪表面のキューティクルのダメージ度診断は、主にキューティクルの剥離枚数を調べるもので、通常毛髪を切断し切断面を走査型電子顕微鏡で観察して直接的に数えたキューティクル枚数、或いは毛髪の長径と短径を測定し、該長径と短径のデータから算出される毛径の変化に基づいて、外的要因によってもたらされるキューティクルの推測剥離枚数等の程度で評価するものがあるが何れも多大な時間と労力と費用を必要とする。
【特許文献１】特開２００４−２７０４２５
【考案の開示】
【考案が解決しようとする課題】
【０００７】  本考案は、毛髪の少なくともキューティクル、コルテックス、更にはメデュラを含めそれらのダメージ状態の程度を複数にランク付けしそのランク毎に毛髪フィギアを作成してセットにした所謂毛髪フィギアセットを提供し、以って目視や簡易顕微鏡等により顧客の毛髪状態を概要評価し、その場でその評価に対応する毛髪状態の毛髪フィギアを抽出し顧客に表示して確認してもらい、顧客が希望する毛髪状態になるよう顧客に適正な毛髪ケアに関するアドバイスと適切な処理を行わしめようとするものである。
【課題を解決するための手段】
【０００８】上記課題を満足させる本考案の基本的な技術構成は、次の（１）の通りである。
（１），毛髪の少なくともキューティクル及びコルテックス、多くともキューティクル及びコルテックス及びメデュラのダメージ状態の程度を複数にランク付けしそのランク毎の毛髪フィギアを配置するとともに各毛髪フィギアの配置部に当該ダメージ状態の程度を表示してなる毛髪フィギアセット。
【考案の効果】
【０００９】  本考案の毛髪フィギアセットは、毛髪の少なくともキューティクル、コルテックスのダメージ状態の程度を複数にランク付けしそのランク毎に毛髪フィギアを立体的に樹脂又は合成樹脂等によりリアルに或いは概略モデル的に作成してセットにしたものであり、これによって予め目視や簡易顕微鏡等により顧客の毛髪状態を概要評価して、その評価に対応する毛髪フィギアを前記毛髪フィギアセットの中から選定しそれを顧客に提示して顧客の髪状態の評価をリアルに説明し、毛髪の健常範囲と顧客が希望する毛髪状態とを比較して評価して、顧客が希望する毛髪状態を実現するための適切な毛髪処理を決定することができるという優れた作用効果がある。
【考案を実施するための最良の形態】
【００１０】  而して、本考案を実施するための最良の形態は、次に紹介する実施例により詳細に説明する。
【実施例１】
【００１１】  図１は、本考案の実施例を示す斜視説明図である。
図１において、毛髪フィギアセットは、色合い、弾力性、手触り感触などに変化をつけた合成樹脂製であり、キューティクル１とコルテックス２とメデュラ３の健全状態の毛髪フィギアＡと、キューティクル１とコルテックス２とメデュラ３のダメージ状態の程度を３ランク付けしたランク毎の毛髪フィギアＢ、毛髪フィギアＣ、毛髪フィギアＤとからなり、各毛髪フィギアは透明ケースキャップ２００内の台座１００のセット孔に前記各毛髪フィギアＡ、毛髪フィギアＢ、毛髪フィギアＣ、毛髪フィギアＤの順に抜き取り可能に立配置し、台座１００の前端面にフィギア符号と同一符号でランク表示（Ａランク、Ｂランク、Ｃランク、Ｄランク）すると共に、当該毛髪フィギアのキューティクル１、コルテックス２、メデュラ３のダメージ程度を併記表示したものである。
この表示において、キューティクル剥離率は、毛髪全表面積に占める表層キューティクルの剥離表面積の割合であり、コルテックス縮小率は、健全ランクＡのコルテックスの全横断面積に占める当該ランクのコルテックスの全横断面積の割合であり、メデュラ縮小率は、健全ランクＡのメデュラの全横断面積に占める当該ランクのメデュラの全横断面積の割合を各々視的感覚で概略的に設定してもよい。またこの表示は、良い順に◎、○、△、×等としてよく、他に最良、良、やや悪い、悪い等と表示してもよい。
また色合い、弾力性、手触り感触などの変化の程度を併記することも好ましい。
１．毛髪フィギアＡの表示：
健全毛髪（キューティクル剥離率０、コルテックス縮小率０、メデュラ縮小率０）
２．毛髪フィギアＢの表示：
（１）．キューティクル剥離率１５〜２０％
（２）．コルテックス縮小率５〜１０％
（３）．メデュラ縮小率５〜１０％
３．毛髪フィギアＣの表示：
（１）．キューティクル剥離率２０〜６０％
（２）．コルテックス縮小率１０〜１５％
（３）．メデュラ縮小率１０〜１５％
４．毛髪フィギアＤの表示：
（１）．キューティクル剥離率６０〜１００％
（２）．コルテックス縮小率１５〜２０％
（３）．メデュラ縮小率１５〜２０％
これらによって予め目視や簡易顕微鏡、手触り感触等により顧客の毛髪状態を概要評価して、その評価に対応する毛髪フィギアを前記毛髪フィギアセットの中から選定しそれを顧客に提示して顧客の毛髪の健康状態の評価をリアルに説明することができた。
そして、その毛髪の健康状態に応じて、顧客が希望する毛髪状態を実現するための適切な毛髪処理を決定することができた。
【産業上の利用可能性】
【００１２】  本考案の毛髪フィギアセットは、前記の如く、優れた作用効果がある。
このため美容業界や散髪業界の発展に貢献すること多大なものがある。
【図面の簡単な説明】
【００１３】
【図１】本考案の実施例の実施例を示すものであり横断面図を併記した斜視説明図である。
【図２】毛髪の構造概念を示すモデルである。
【符号の説明】
【００１２】Ａ      毛髪フィギア                  １      キューティクル
Ｂ      毛髪フィギア                  ２      コルテックス
Ｃ      毛髪フィギア                  ３      メデュラ
Ｄ      毛髪フィギア                  １００  台座
１００  台座                          ２００  透明ケースキャップ
【図１】
0003161971.tif 000003
【図２】
0003161971.tif 000004
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
毛髪の少なくともキューティクル及びコルテックス、多くともキューティクル及びコルテックス及びメデュラのダメージ状態の程度を複数にランク付けしそのランク毎の毛髪フィギアを毛髪の少なくともキューティクル及びコルテックス、多くともキューティクル及びコルテックス及びメデュラのダメージ状態の程度を複数にランク付けしそのランク毎の毛髪フィギアを台座に配置するとともに各毛髪フィギアの当該ダメージ状態の程度を前記台座に表示してなる毛髪フィギアセット。
【手続補正２】
【補正対象書類名】明細書
【補正対象項目名】０００８
【補正方法】変更
【補正の内容】
【０００８】上記課題を満足させる本考案の基本的な技術構成は、次の（１）の通りである。
（１），毛髪の少なくともキューティクル及びコルテックス、多くともキューティクル及びコルテックス及びメデュラのダメージ状態の程度を複数にランク付けしそのランク毎の毛髪フィギアを台座に配置するとともに各毛髪フィギアの当該ダメージ状態の程度を前記台座に表示してなる毛髪フィギアセット。